【手続補正書】
【提出日】平成16年11月15日(2004.11.15)
【手続補正１】
【補正対象書類名】明細書
【補正対象項目名】特許請求の範囲
【補正方法】変更
【補正の内容】
【特許請求の範囲】
【請求項１】
前面扉が所定の連結部によって回動可能に連結された遊技機本体を含み、前記連結部を中心として前記前面扉を回動させて前記遊技機本体を前記前面扉で閉鎖可能とする遊技機であって、
前記遊技機本体側に設けられ、前記前面扉を回動させて前記遊技機本体を前記前面扉で閉鎖する際に前記前面扉が前記遊技機本体に対し正規の位置となるように案内する摺動案内部材と、
前記前面扉側に設けられ、前記摺動案内部材に対して摺動する摺動面が形成された摺動部材とを有し、
前記摺動案内部材には、
前記前面扉を回動させて前記遊技機本体を前記前面扉で閉鎖する際に前記前面扉が前記遊技機本体に対し正規の位置となるように案内するための被摺動面と、
前記遊技機本体が前記前面扉によって閉鎖された状態において前記前面扉を所定位置で保持する平面形状の保持面とが形成されており、
前記摺動案内部材の前記被摺動面と前記摺動部材の前記摺動面とのうちのいずれか一方が平面であって他方が曲面であり、
前記一方は、前記他方と水平方向に対して４５度以下の傾斜角で接触する様に構成されていることを特徴とする、遊技機。
【手続補正２】
【補正対象書類名】明細書
【補正対象項目名】０００５
【補正方法】削除
【補正の内容】
【手続補正３】
【補正対象書類名】明細書
【補正対象項目名】０００７
【補正方法】変更
【補正の内容】
【０００７】
【課題を解決するための手段】
請求項１に記載の本発明は、前面扉（前面扉４２）が所定の連結部（上部多関節蝶番５４および下部多関節蝶番５５）によって回動可能に連結された遊技機本体（本体４６）を含み、前記連結部を中心として前記前面扉を回動させて前記遊技機本体を前記前面扉で閉鎖可能とする遊技機（スロットマシン１）であって、
前記遊技機本体側に設けられ（摺動案内部材の一例となるスライダー６８を本体４６側に設け、摺動部材の一例となるスライダー受け部６７を前面扉４２側に設けてもよい。）、前記前面扉を回動させて前記遊技機本体を前記前面扉で閉鎖する際に前記前面扉が前記遊技機本体に対し正規の位置となるように案内する摺動案内部材（スライダー６８）と、
前記前面扉側に設けられ（摺動案内部材の一例となるスライダー６８を本体４６側に設け、摺動部材の一例となるスライダー受け部６７を前面扉４２側に設けてもよい。）、前記摺動案内部材に対して摺動する摺動面が形成された摺動部材（スライダー受け部６７、図８）とを有し、
前記摺動案内部材には、
前記前面扉を回動させて前記遊技機本体を前記前面扉で閉鎖する際に前記前面扉が前記遊技機本体に対し正規の位置となるように案内するための被摺動面（スライダー６８の摺動曲部８５ａおよび摺動部８５ｂ）と、
前記遊技機本体が前記前面扉によって閉鎖された状態において前記前面扉を所定位置（図９（ｄ））で保持する平面形状の保持面（スライダー６８のスライダー支持部８４、図６（ｃ））とが形成されており（図９）、
前記摺動案内部材の前記被摺動面と前記摺動部材の前記摺動面とのうちのいずれか一方が平面（スライダー６８の摺動部８５ｂ）であって他方が曲面（スライダー受け部６７のスライダー受け曲部８７）であり、
前記一方は、前記他方と水平方向に対して４５度以下の傾斜角で接触する様に構成されていること（摺動部８５ｂには、スライダー支持部８４に対して１７°の傾斜が付けられている。このため、前面扉４２によって本体４６を閉鎖する際には、水平方向に対して１７°の進入角でスライダー６８が本体側のスライダー受け部６７に進入する。スライダー６８の摺動部８５ｂとスライダー受け部６７のスライダー受け曲部８７とにより、前記摺動案内部材の前記摺動面と前記摺動部材の前記被摺動面とのうちのいずれか一方が平面であって他方が曲面であり、前記一方は、前記他方と水平方向に対して４５度以下の傾斜角で接触する様に構成されていることが開示されている。）を特徴とする。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】変更
【補正の内容】
【００１４】
【作用】
請求項１に記載の本発明によれば、前記前面扉を回動させて前記遊技機本体を前記前面扉で閉鎖する際に前記前面扉が前記遊技機本体に対し正規の位置となるように案内する摺動案内部材が遊技機本体に設けられる一方、前記摺動案内部材に対して摺動する摺動面が形成された摺動部材が前面扉側に設けられる。さらに、前記摺動案内部材には、前記前面扉を回動させて前記遊技機本体を前記前面扉で閉鎖する際に前記前面扉が前記遊技機本体に対し正規の位置となるように案内するための被摺動面と、前記遊技機本体が前記前面扉によって閉鎖された状態において前記前面扉を所定位置で保持する平面形状の保持面とが形成されている。前記摺動案内部材の前記被摺動面と前記摺動部材の前記摺動面とのうちのいずれか一方が平面であって他方が曲面であり、前記一方は、前記他方と水平方向に対して４５度以下の傾斜角で接触する。
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】０１１４
【補正方法】変更
【補正の内容】
【０１１４】
【課題を解決するための手段の具体例の効果】
請求項１に関しては、前面扉を回動させて遊技機本体を前面扉で閉鎖する際には、摺動案内部材によって前面扉が遊技機本体に対し正規の位置となるように案内されるために、自重によって前面扉が正規の位置から沈み込んでいる場合であっても、容易に前面扉によって遊技機本体を閉鎖できる。しかも、摺動案内部材の被摺動面と摺動部材の摺動面とのうちの少なくともいずれか一方が曲面であるために、接触面が小さくなり、摺動に伴う摩擦抵抗を極力小さくすることができ、これにより、前面扉による閉鎖がより一層容易となる。また、さらに、摺動案内部材の被摺動面と摺動部材の摺動面とのうちのいずれか一方が平面であって他方が曲面であり、前記一方は、前記他方と水平方向に対して４５度以下の傾斜角で接触するために、前面扉を閉める方向において摺動面が被摺動面を摺動する際の摩擦抵抗を極力小さくすることができ、これにより、前面扉による閉鎖がより一層容易となる。
【手続補正１８】
【補正対象書類名】明細書
【補正対象項目名】０１１５
【補正方法】削除
【補正の内容】
【手続補正１９】
【補正対象書類名】明細書
【補正対象項目名】０１１６
【補正方法】削除
【補正の内容】
【手続補正２０】
【補正対象書類名】明細書
【補正対象項目名】０１１７
【補正方法】削除
【補正の内容】
【手続補正２１】
【補正対象書類名】明細書
【補正対象項目名】０１１８
【補正方法】削除
【補正の内容】
【手続補正２２】
【補正対象書類名】明細書
【補正対象項目名】０１１９
【補正方法】削除
【補正の内容】
【手続補正２３】
【補正対象書類名】明細書
【補正対象項目名】０１２０
【補正方法】削除
【補正の内容】